(57)【要約】【課題】誤ったメモリカードの挿入によるコンタクトの破損を防止しながらも製造コストの増大を抑えることができるメモリカードソケットを提供する。【解決手段】ソケット本体３の前面に開口するカード挿入口３ａの内面において、複数個のコンタクト１０の前端部の近傍に、それぞれ保護凸部１１ａを突設した。カード挿入口３ａに挿入可能な誤ったメモリカードＭＣ’がカード挿入口３ａに挿入された場合であっても、誤ったメモリカードＭＣ’は保護凸部１１ａの上側に乗り上げることになるから、誤ったメモリカードＭＣ’がコンタクト１０を下方へ過剰に押し込むことなどによるコンタクト１０の破損が防止される。また、挿入されたメモリカードの寸法に応じてメモリカードＭＣ’の阻止とメモリカードの軌道からの退避とを切り替えるストッパを設ける場合に比べ、構造が単純化されるから製造コストの増大が抑えられる。【選択図】図１
2009123394.tif 000002
【特許請求の範囲】
【請求項１】
厚さ方向から見て長方形状であって長手方向の一端部においてそれぞれ厚さ方向の一方側と長手方向の一方側とに開放された少なくとも１個の接続凹部が設けられ各接続凹部の内底面にそれぞれ少なくとも１個ずつの入出力端子が露出したメモリカードが着脱自在に接続されるメモリカード用ソケットであって、
メモリカードが接続凹部側を後側として長手方向に挿入されるカード挿入口が前面に開口したソケット本体と、
カード挿入口に挿入されるメモリカードの厚さ方向と前後方向とに交差する方向に並びそれぞれ後端部がソケット本体に保持されカード挿入口に挿入されたメモリカードの入出力端子に接触導通する複数個のコンタクトとを備え、
各コンタクトの前端部には、それぞれ、カード挿入口に挿入されるメモリカードの厚さ方向の面であってカード挿入口の内側向きの面が凸曲面であってカード挿入口の内側へ弾性的に突出して前記凸曲面においてメモリカードの入出力端子に弾接する接触部が設けられていて、
カード挿入口の内面であってメモリカードの厚さ方向の一面に対向する面のうち各コンタクトの接触部がそれぞれ突出する面において、少なくとも２個のコンタクトの接触部の近傍には、それぞれ、近傍のコンタクトの前端よりもカード挿入口の内側への突出寸法が大きい部位を前記近傍のコンタクトの前端よりも前側に有し、カード挿入口の内側への突出寸法は近傍のコンタクトの接触部よりも小さく、正規のメモリカードが正規の向きでカード挿入口に挿入された場合にはメモリカードの接続凹部内に導入される保護凸部が設けられていることを特徴とするメモリカード用ソケット。
【請求項２】
各保護凸部の前面は、それぞれ、保護凸部の突出方向へ向かって後方へ傾斜していることを特徴とする請求項１記載のメモリカード用ソケット。
【請求項３】
ソケット本体は、金属板からなりカード挿入口において各保護凸部がそれぞれ突設された面を構成するベースシェルを有し、
各保護凸部は、それぞれ、ベースシェルの一部を切り起こすことによって形成されていることを特徴とする請求項１又は請求項２記載のメモリカード用ソケット。
【請求項４】
各保護凸部は、それぞれ、カード挿入口にメモリカードが挿入される方向に対して厚さ方向を直交させる向きで切り起こされていることを特徴とする請求項３記載のメモリカード用ソケット。
【請求項５】
少なくとも１個のコンタクトについて、それぞれ、該コンタクトを挟んで対向する２個ずつの保護凸部が設けられていることを特徴とする請求項４記載のメモリカード用ソケット。
【発明の詳細な説明】
【技術分野】
【０００１】
本発明は、メモリカード用ソケットに関するものである。
【背景技術】
【０００２】
従来から、カード型に形成された記憶媒体であるメモリカードが挿抜自在に接続されるメモリカード用ソケットが提供されている。
【０００３】
この種のメモリカード用ソケットとして、例えば図４〜図１６に示すものがある。以下、図４の矢印ａ−ｂ方向を上下方向と呼び、図４の矢印ｃ−ｄ方向を左右方向と呼び、図４の矢印ｅ−ｆ方向を前後方向と呼ぶ。ただし、上記の方向は説明の便宜上のものであって、実際の使用状態での方向とは必ずしも一致しない。
【０００４】
このメモリカード用ソケットは、図４〜６に示すように、メモリカードＭＣが厚さ方向を上下方向に向けて挿入されるカード挿入口３ａが前面に開口し全体として前面が開口した上下に扁平な直方体形状のソケット本体３を備える。つまり、メモリカードＭＣを挿入する方向が後方向であり、メモリカードＭＣを抜く方向が前方向である。
【０００５】
本実施形態で用いるメモリカードＭＣはＳＤメモリカード（登録商標）であって、厚さ方向から見て略長方形状になっており、カード挿入口３ａに対して長手方向に平行移動する形で挿入される。正しい挿入姿勢での方向を用いて説明すると、メモリカードＭＣの下面の後端部には９個の入出力端子（図示せず）が左右に並べて設けられている。各入出力端子は、それぞれメモリカードＭＣの下面に設けられて後方に開放された接続凹部（図示せず）の内底面に露出している。また、メモリカードＭＣの右側縁には矩形状に陥没したロック用切欠１０１が設けられている。さらに、右後の角部を落として後面を右方へ向かって前方へ傾斜させた逆差し防止用の傾斜部１０２が形成されている。また、メモリカードＭＣの下面側の左右両側部には、上面側の幅よりも下面側の幅を狭くする段部１０３が形成されている。さらに、メモリカードＭＣの左側縁には、手操作で前後にスライドさせてデータ書き込み可能・禁止を切りかえることができるライトプロテクトスイッチ１００が設けられている。ライトプロテクトスイッチ１００は、スイッチ用凹部１０５と、操作力を受けてスイッチ用凹部１０５内で前後に変位可能な摘み１０４とを有する。
【０００６】
ソケット本体３は、図８に示すように、それぞれ薄いステンレス板に打ち抜き加工と曲げ加工とが施されてなるベースシェル１とカバーシェル２とを有する。ベースシェル１とカバーシェル２とは、それぞれ上下方向から見て全体として長方形状であって、ベースシェル１がカード挿入口３ａの上向きの内面を構成し、カバーシェル２がカード挿入口３ａの下向きの内面を構成する。さらに、ベースシェル１とカバーシェル２との間には、カード挿入口３ａに挿入されたメモリカードＭＣの入出力端子に一対一に接触導通する９個のコンタクト１０を有するコンタクトブロック４と、カード挿入口３ａの内部でソケット本体３に対して前後に変位可能なスライダ５と、軸方向を前後方向に向けた圧縮コイルばねからなりスライダ５をコンタクトブロック４に対して前方へ付勢する復帰ばね１４と、棒状の部材からなりスライダ５に係入する被ガイド部１６ａ及びベースシェル１に連結される軸部１６ｂがそれぞれ下方へ突設されたコ字形状のカムピン１６とがそれぞれ配置されている。スライダ５と復帰ばね１４とカムピン１６とはメモリカードＭＣの挿抜用の機構を構成するが、この機構については後述する。
【０００７】
以下、各部について詳しく説明する。コンタクトブロック４は合成樹脂成型品からなり、図９（ａ）〜（ｃ）に示すように、９個のコンタクト１０を左右に並べて保持した基体７を備える。基体７は、ベースシェル１とカバーシェル２とともにソケット本体３を構成するものであって、左右に長くカード挿入口３ａの後端を閉塞してソケット本体３の後面を構成する本体部７ａと、本体部７ａの左端部から前方に突設された側部７ｂとを有し、全体としてＬ字形状となっている。本体部７ａの右端部の前面には、軸方向を前後方向に向けた円柱形状であって復帰ばね１４の後端部に挿入されるばね受け凸部７ｃが前方へ突設されている。また、側部７ｂの右端部は、左側の部位よりも上面が下方に位置してメモリカードＭＣの段部１０３の下側に位置する段部７ｄが設けられている。
【０００８】
また、各コンタクト１０は、それぞれ例えば金属板に打ち抜き加工と曲げ加工とが施されてなり全体として前後方向に細長い形状となっている。各コンタクト１０は、それぞれ、例えば基体７の本体部７ａに前後に貫設された貫通穴に圧入されることにより、基体７の本体部７ａの前後にそれぞれ突出する形で基体７に保持されており、基体７に保持される被保持部（図示せず）と、被保持部から後方に突設され基体７の後側において上方に曲がり基体７よりも上側において後方へ曲がったＬ字形状の端子部１０ａと、被保持部から前方へ突設され前端を後端に対して上下に変位させるように弾性変形可能なばね部１０ｂと、ばね部１０ｂの前端から前方に突設され前後方向での中央部が前後両端部よりも上方に突出するように曲げられ凸曲面となった上面においてメモリカードＭＣの入出力端子に弾接（すなわち接触導通）する接触部１０ｃとを有する。左端の４個のコンタクト１０と右から３番目のコンタクト１０とはそれぞれ寸法形状が共通となっているが、右から２番目のコンタクト１０はばね部１０ｂがより短く、逆に右から４番目と５番目との各コンタクト１０はそれぞればね部１０ｂがより長く、右端のコンタクト１０についてはばね部１０ｂが最も長くなっている。
【０００９】
また、基体７には、図１０に示すように、第１の固定接点４１ａ及び第２の固定接点４２ａがそれぞれ設けられた共通接点板３０と、共通接点板３０の第１の固定接点４１ａとともにメモリカードＭＣの挿入認識用のスイッチを構成する第１の可動接点板３１Ａと、共通接点板３０の第２の固定接点４２ａとともにメモリカードＭＣのライトプロテクトスイッチ１００の摘み１０４の位置検出用のスイッチを構成する第２の可動接点板３１Ｂとがそれぞれ保持されている。基体７の側部７ｂの上面には、共通接点板３０の前端部が圧入される圧入溝３３と、第１の可動接点板３１Ａの前端部が圧入される圧入溝３４と、第２の可動接点板３１Ｂの前端部が圧入される圧入溝３５とがそれぞれ設けられている。共通接点板３０を保持する圧入溝３３としては、上方と後方に開放されて共通接点板３０の前端部が圧入されるものと、上方と前方とに開放されて共通接点板３０の後端部が圧入されるものとの２個の圧入溝３３が設けられている。また、可動接点板３１Ａ，３１Ｂを保持する各圧入溝３４，３５はそれぞれ上方と後方とに開放されている。
【００１０】
共通接点板３０と各可動接点板３１Ａ，３１Ｂとは、それぞれ金属板に打ち抜き加工と曲げ加工とを施すことによって形成されている。まず共通接点板３０について説明すると、共通接点板３０は、図１１（ａ）〜（ｃ）に示すように、全体として厚さ方向を左右方向に向け前後に長い形状であって、前端部（図１１（ａ）〜（ｃ）での左端部）には、上方へ突出して先部が左方（図１１（ｂ）の上方）へ曲がった端子部３０ａが設けられている。また、共通接点板３０の上端部には、それぞれ後端以外が他の部位から分離されることにより後端部に対して前端部を左右に変位させるように弾性変形可能なばね部４１，４２が前後に並べて設けられている。第１の固定接点４１ａは後側のばね部４１の前端部の右面から右方に突設され、第２の固定接点４２ａは前側のばね部４２の前端部の右面から右方に突設されている。各固定接点４１ａ，４２ａはそれぞれ例えばエンボス加工によって球面形状の凸部として形成されている。
【００１１】
次に、各可動接点板３１Ａ，３１Ｂについて説明する。各可動接点板３１Ａ，３１Ｂは前後方向の位置のみが異なり、寸法形状や向きは互いに共通であるので、共通する部分については第１の可動接点板３１Ａについてのみ説明する。第１の可動接点板３１Ａは、図１２（ａ）〜（ｃ）に示すように、基体７の圧入溝３４に圧入される圧入片３１ａと、圧入片３１ａの上端部から後方（図１２（ａ）〜（ｃ）での右方）に突設され前端部を後端部に対して左右に変位させるように弾性変形可能なばね片３１ｂと、圧入片３１ａの前後方向の中央部から上方に突設され先端部が左方（図１２（ｂ）の上方）に曲がったＬ字形状の端子部３１ｄとを有する。ばね片３１ｂの後端部は右面が凸曲面となるように曲げられており、この凸曲面がカード挿入口３ａ内に突出してメモリカードＭＣに弾接する。さらに、ばね部３１ｂの左面の後端部において、上記の曲げられた部位の前側にはＶ字溝３１ｃが設けられており、このＶ字溝３１ｃの内面が第１の固定接点４１ａに離接可能となっている。また、圧入片３１ａには、圧入溝３４の内面に食込んで保持強度を向上する食込み凸部３１ｅが切り起こしによって厚さ方向に突設されている。第２の可動接点板３１Ｂは、圧入片３１ａが圧入される圧入溝３５が第１の可動接点板３１Ａのそれよりも前側であって、これによってＶ字溝３１ｃの位置が第２の固定接点４２ａに離接可能な位置となっている点のみ第１の可動接点板３１Ａと異なり、その他の点は第１の可動接点板３１Ａと共通である。
【００１２】
次に、ベースシェル１について説明する。ベースシェル１は、図１３（ａ）（ｂ）に示すように、それぞれ上方への曲げ起こしによって形成されて左右に対向する側片６ａ，６ｂを有し、全体として断面上向きコ字形状に形成されている。左側の側片６ｂは前後に並ぶ３個に分離されており、左側の側片６ｂのうち前側の１個の後端部と、右側の側片６ａの前端部とには、それぞれ載置用凸部６ｃが上方へ突設されている。各載置用凸部６ｃはそれぞれ前側半分が後側半分よりも上方へ突出しており、載置用凸部６ｃの後側半分の上端はカバーシェル２の上面よりも上方に位置する。また、載置用凸部６ｃは、前側半分がプリント配線板などの実装面（図示せず）に挿入されて後側半分の上端を実装面に当接させる形で実装面上に載置される。各コンタクト１０、固定接点板３０、各可動接点板３１Ａ，３１Ｂの端子部１０ａ，３０ａ，３１ｄは、それぞれ上記実装面に設けられた導電パターンに対して例えばはんだ付けにより表面実装される。つまり、このメモリカード用ソケットはいわゆるスタンドオフ型である。
【００１３】
また、ベースシェル１の後端部の上面にはそれぞれ厚さ方向を左右方向とし左右に並ぶ４個の圧入凸部９がそれぞれ切り起こしによって上方に突設されるとともに、ベースシェル１の左端部の上面にはそれぞれ厚さ方向を前後方向とし前後に並ぶ３個の圧入凸部９がそれぞれ切り起こしによって上方に突設されている。コンタクトブロック４の基体７の下面には上記の計７個の圧入凸部９が１対１に圧入する７個の圧入凹部８が設けられており、各圧入凸部９がそれぞれ圧入凹部８に圧入されることによってコンタクトブロック４はベースシェル１に対して機械的に結合している。
【００１４】
さらに、ベースシェル１の後端部には、それぞれ前後に長い長方形状であってコンタクト１０の弾性変形時にコンタクトの１０の前端部すなわち接触部１０ｃとその近傍が退避する８個の退避穴１１が左右に並べて上下に貫設されている。左端の退避穴１１は左端の２個のコンタクト１０に対応しており、その他の退避穴１１は残りの７個のコンタクト１０に一対一に対応していて、各退避穴１１はそれぞれ対応するコンタクト１０の接触部１０ｃの下側に設けられている。
【００１５】
また、ベースシェル１の前端の左端部には、コンタクトブロック４の基体７の側部７ｂの前側に位置してベースシェル１に対するコンタクトブロック４の前方への変位を禁止する凸部１ａが曲げ加工により上方へ突設されている。
【００１６】
次に、カバーシェル２について説明する。図１４に示すように、カバーシェル２の後端には、第１の結合凸部１９が曲げ起こしによって下方へ突設されている。また、カバーシェル２の後端部には、左右に並んだ３個の第２の結合凸部２０が、それぞれ切り起こしによって下方へ突設されている。さらに、カバーシェル２の右後端部には、長方形状の嵌合穴２ｂが上下に貫設されている。コンタクトブロック４の基体７において、本体部７ａの後面の上端部にはカバーシェル２の第１の結合凸部１９が係入する第１の結合凹部７ｅが設けられ、本体部７ａの前面の上端部にはそれぞれ前方と上方とに開放されそれぞれカバーシェル２の１個ずつの第２の結合凸部２０が係入する３個の第２の結合凹部１７が左右に並べて設けられるとともに、本体部７ａの上面の右端部には、カバーシェル２の嵌合穴２ｂに嵌合する直方体形状の嵌合凸部７ｅが上方へ突設されている。すなわち、カバーシェル２は、第１の結合凸部１９と第２の結合凸部２０とがコンタクトブロック４の基体７の本体部７ａの上端部を前後方向において挟むとともに、嵌合穴２ｂにコンタクトブロック４の嵌合凸部７ｅが嵌合することによって、コンタクトブロック４に対して機械的に結合している。また、カバーシェル２は、右端の前端部から曲げ加工により下方に突設され厚さ方向を左右方向に向けた溶接片２０ａを有する。ベースシェル１の前端の右端部には、上方へ突出して先部が後方に曲げられた断面Ｌ字形状の支持片１２が曲げ加工により設けられていて、支持片１２において厚さ方向を上下方向に向けた部位には、溶接凸部１２ｂが右方に突設されており、カバーシェル２の溶接片２０ａがベースシェル１の溶接凸部１２ｂに例えばレーザ溶接で固着されることにより、カバーシェル２はベースシェル１に対して機械的に結合している。
【００１７】
また、カバーシェル２の前端部には、それぞれ前端以外が他の部位から分離されることにより後端部を前端部に対して上下に変位させるように弾性変形可能とされた２個の弾接ばね片２１が、左右に並べて設けられている。各弾接ばね片２１は、後端部をカード挿入口３ａの内側へ弾性的に突出させており、メモリカードＭＣの上面に弾接してメモリカードＭＣを下方に押さえる。また、メモリカードＭＣが上面にグランド端子を有するタイプのものであった場合には、各弾接ばね片２１はそれぞれ該グランド端子に接触導通する。
【００１８】
次に、スライダ５について説明する。スライダ５は合成樹脂成型品からなり、図１５（ａ）〜（ｄ）に示すように、カード挿入口３ａに挿入されたメモリカードＭＣの右側に位置する本体部５ａと、本体部５ａの後端部から左方に突設されてメモリカードＭＣの前端に当接する当接部５ｂとを有し、全体としてＬ字形状となっている。当接部５ｂの右端部には、前面が左方へ向かって後方へ傾斜しメモリカードＭＣの傾斜部１０２に当接する傾斜部５ｃが設けられている。また、本体部５ａの左端部には、本体部５ａの他の部位よりも上面が下側に位置してメモリカードＭＣの右側の段部１０３の下側に入る段部５ｄが設けられている。
【００１９】
また、スライダ５の本体部５ａの下面の後端部には前後に長く後方に開放された断面円弧形状のばね受け溝２６が設けられており、後端部にコンタクトブロック４のばね受け凸部７ｃが挿入された復帰ばね１４の前端部がばね受け溝２６に挿入され、復帰ばね１４の前端がばね受け溝２６の前端（後向きの内面）に弾接することにより、スライダ５はコンタクトブロック４に対して前方へ付勢されている。
【００２０】
さらに、スライダ５の本体部５ａの下面においてばね受け溝２６の左側（図１５（ａ）での右側）には、前後に長く前後両側にそれぞれ開放されたガイド溝２７が設けられている。ベースシェル１の右端部の上面には、それぞれ前後に長くスライダ５のガイド溝２７に挿入される２個のガイド凸部１３が例えばルーバ加工により上方へ突設されており、各ガイド凸部１３がそれぞれガイド溝２７内に位置することにより、スライダ５はベースシェル１に対して前後にスライド可能にガイドされている。また、ガイド凸部１３がガイド溝２７から脱落するようなスライダ５の上下方向の変位は、スライダ５が上下方向においてベースシェル１とカバーシェル２との間に挟まれることによって禁止されている。さらに、スライダ５の後方への脱落はコンタクトブロック４によって防止され、スライダ５の前方への脱落はベースシェル１の支持片１２によって防止される。
【００２１】
また、スライダ５の当接部５ｂの下面には、それぞれ前後方向に開放され右端の２個のコンタクト１０のうちの１個ずつの接触部１０ｃを避ける２個の溝２８が左右に並べて設けられている。
【００２２】
ここで、ベースシェル１の支持片１２の上面には、カムピン１６の軸部１６ｂが挿入される軸受け穴１２ａが上下に貫設されている。さらに、カバーシェル２の右前端部には、下方へ弾性的に突出してカムピン１６の上面に弾接して軸部１６ｂの軸受け穴１２ａからの脱落を防止する抜け止め片２２が切り起こしによって設けられている。カムピン１６は、上記のように軸部１６ｂが軸受け穴１２ａに上方から挿入されることにより、上下方向から見た面内でベースシェル１に対して回転自在に枢着されている。
【００２３】
スライダ５の本体部５ａの上面には、カムピン１６の被ガイド部１６ａが変位自在に係入するガイド溝１５が設けられている。ガイド溝１５の底面には前面に凹部１５ｂを有するハートカム１５ａが上方へ突設されており、カムピン１６の被ガイド部１６ａはスライダ５の動作に伴ってハートカム１５ａの周囲を上方から見て反時計回りに回るように変位する。また、カバーシェル２の右端部であって抜け止め片２２の後側には、前端部以外が他の部位から切り離されることにより後端部が前端部に対して上下に弾性的に変位可能な押さえ片２３が設けられている。押さえ片２３は、後端部が他の部位よりも幅寸法（左右の寸法）を大きくされたＴ字形状となっている。押さえ片２３の後端部はカムピン１６の被ガイド部１６ａ付近の上面に弾接してカムピン１６を下方へ押さえつけており、これによって、カムピン１６は常に被ガイド部１６ａの下端をガイド溝１５の底面（上向きの内面）に当接させるようになっている。
【００２４】
また、カバーシェル２の右端部には、厚さ方向を左右方向へ向けるように下方へ切り起こされるとともに後端部以外が他の部位から分離されることにより前端部を後端部に対して左右に変位させるように弾性変形可能なロック片２４が設けられている。ロック片２４は、後端部がカバーシェル２の他の部位に連結され全体として前方へ向かって左方へ傾斜したレバー部２４ａと、レバー部２４ａの前端部から前方へ突設され前方へ向かって左方へ円弧形状に彎曲した係合部２４ｂとを有する。スライダ５の本体部５ａの上面には、ロック片２４の一部が収納されるロック溝２５が設けられている。ロック溝２５は後方と左方とに開放されており、ロック溝２５の左向きの内面には前方へ向かって左方への突出寸法を大きくするように傾斜した駆動凸部２９が設けられており、スライダ５が復帰ばね１４のばね力に抗して後方へ変位したときには駆動凸部２９がレバー部２４ａの右面を押圧することにより係合部２４ｂがロック溝２５の左側へ突出するようになっている。
【００２５】
以下、メモリカードＭＣを挿抜する際の上記のメモリカード用ソケットの動作を説明する。メモリカードＭＣを未挿入の状態では、復帰ばね１４のばね力によりスライダ５は本体部５ａの前端を支持片１２に当接させていて、ガイドピン１６の被ガイド部１６ａはガイド溝１５の後端部の前後に長い直線状の部位（図１５（ａ）のＡ）に係入している。この状態では、ロック溝２５の駆動凸部２９はロック片２４に押圧されることなく弾性復帰しており、係合部２４ｂはロック溝２５内に収納されていてカード挿入口３ａ内へは突出しない。また、各可動接点板３１Ａ，３１Ｂのばね部３１ｂはいずれも共通接点板３０の固定接点４１ａ，４２ａから離れており、共通接点板３０の端子部３０ａと各可動接点板３１Ａ，３１Ｂの端子部３１ｄとの間の導通もない。
【００２６】
メモリカードＭＣが正しい向きで挿入され、スライダ５が当接部５ｂをメモリカードＭＣに押圧されることにより復帰ばね１４のばね力に抗して後方（図１５（ａ）の上方）へ変位すると、ガイドピン１６の被ガイド部１６ａは、上記の直線状の部位Ａから、その前側に設けられハートカム１５ａの左側において前方へ向かって左方へ傾斜した部位（図１５（ａ）のＢ）に進入する。この部位Ｂの内底面は、前方へ向かって上方へ傾斜している。なお、図１５（ａ）ではハートカム１５ａの右側に分岐した部位（図１５（ａ）のＦ）が存在するように見えるが、この部位Ｆの内底面は上記の直線状の部位Ａの内底面よりも上方に位置しており、これらの部位Ａ，Ｆ間には上向きの段差が存在するため、メモリカードＭＣが挿入される過程でガイドピン１６の被ガイド部１６ａがハートカム１５ａの右側の部位Ｆに進入することはない。さらにメモリカードＭＣが押し込まれ、スライダ５がコンタクトブロック４に当接する位置まで後方に変位すると、ガイドピン１６の被ガイド部１６ａは、上記の部位Ｂの前側に設けられ前方へ向かって右方へ傾斜した内面にガイドされ、ハートカム１５ａの前側の位置（図１５（ａ）のＣ）に至る。ここでメモリカードＭＣへの押力が解除されると、復帰ばね１４のばね力でスライダ５が前方へ変位することにより、ガイドピン１６は図１６に示すようにハートカム１５ａの前面に設けられた係止凹部１５ｂ内（図１５（ａ）のＤ）に入り込む。この状態では、ガイドピン１６の被ガイド部１６ａがハートカム１５ａに係止されることにより、復帰ばね１４のばね力に関わらず、ソケット本体３に対するスライダ５の前方への変位は禁止されている。逆に、ハートカム１５ａの係止凹部１５ｂから前方へのガイドピン１６の被ガイド部１６ａの脱落は、復帰ばね１４のばね力により防止される。また、各コンタクト１０の接触部１０ｃは、それぞれメモリカードＭＣの入出力端子に接触導通する。さらに、第１の可動接点板３１Ａはばね部３１ｂの後端部をメモリカードＭＣに押圧されて後端部を左方へ変位させるように弾性変形し、第１の固定接点４１ａに接触導通する。つまり、共通接点板３０の端子部３０ａと第１の可動接点板３１Ａの端子部３１ｄとの間での導通を外部の検出回路（図示せず）で検出することにより、メモリカードＭＣの挿入が完了したことを検出することができる。さらに、メモリカードＭＣのライトプロテクトスイッチ１００の摘み１０４が、第２の可動接点板３１Ｂのばね部３１ｂが乗り上げるような位置にあった場合、第２の可動接点板３１Ａも共通接点板３０に接触導通するから、これに基いて外部の検出回路（図示せず）によりメモリカードＭＣの書込禁止状態を検出することもできる。また、ロック片２４はレバー部２４ａの右面がスライダ５の駆動凸部２９に押圧されることにより後端部を左方へ変位させるように弾性変形している。すなわち、ロック片２４の係合部２４ｂはロック溝２５の左側の開口からカード挿入口３ａ内に突出してメモリカードＭＣのロック用切欠１０１に係入し、これによってカード挿入口３ａからのメモリカードＭＣの脱落が防止される。さらに、この状態では、図５（ａ）〜（ｃ）及び図６に示すようにメモリカードＭＣの前端部はソケット本体３の前端よりも前方へ突出している。
【００２７】
メモリカードＭＣを抜く場合には、一旦、復帰ばね１４のばね力に抗してメモリカードＭＣをカード挿入口３ａのさらに奥（すなわち後方）へ押し込む。すると、ガイドピン１６の被ガイド部１６ａは、係止凹部１５ｂの前側に設けられ前方へ向かって右方へ傾斜した傾斜面にガイドされることにより、ガイド溝１５の前端部であってハートカム１５ａよりも右側の部位（図１５（ａ）のＥ）に進入する。ここで、ガイド溝１５においてハートカム１５ａの前側の部位Ｃ，Ｅのうち、メモリカードＭＣの挿入時に通過した左側の部位Ｃは、係止凹部１５ｂ内の部位Ｄよりも内底面が上側に位置しており、間に段差が存在するから、メモリカードＭＣを抜く上記操作の際にガイドピン１６の被ガイド部１６ａが上記の左側の部位Ｃに進入することはない。そして、上記のようにメモリカードＭＣを押し込んで、ガイドピン１６の被ガイド部１６ａがハートカム１５ａよりも右側に至ったときにメモリカードＭＣへの押力を解除すると、スライダ５が復帰ばね１４のばね力によって前方へ変位することにより、ガイドピン１６の被ガイド部１６ａはガイド溝１５においてハートカム１５ａの右側の部位（図１５（ａ）のＦ）を通じて、ガイド溝１５の後端部Ａに復帰する。この過程でロック片２４は復帰して係合部２４ｂはロック用切欠１０１から抜けてメモリカードＭＣを抜き出し可能となるとともに、メモリカードＭＣはスライダ５によってカード挿入口３ａから押し出される。なお、ハートカム１５ａの係止凹部１５ｂ内の部位Ｄとガイド溝１５の後端部であってハートカム１５ａの右側の部位Ｅとの間には、係止凹部１５ｂ内の部位Ｄに向かって上向きの段差が存在するから、上記のようにメモリカードＭＣへの押力が解除されたときにハートカム１５ａの被ガイド部１６ａがハートカム１５ａの係止凹部１５ｂ内の部位Ｄに戻ることはない。
【００２８】
ここで、正規のメモリカードＭＣが上記のように正しい向きで挿入されていれば各コンタクト１０はそれぞれメモリカードＭＣの接続凹部内で入出力端子に接触するから各コンタクト１０が過剰に変形することはない。しかし、コンタクト１０の位置と接続凹部の位置とが対応しないような向きでメモリカードＭＣが挿入された場合、メモリカードＭＣがコンタクト１０の上側に乗り上げることなくコンタクト１０の前端を押圧することや、コンタクト１０の接触部１０ｃを下方へ過剰に押し込むことにより、コンタクト１０を過剰に曲げて塑性変形させて（すなわち破損して）しまう可能性がある。
【００２９】
上記のような誤挿入によるコンタクト１０の破損を防ぐために、上記のメモリカード用ソケットでは下記のような構成が採用されている。
【００３０】
すなわち、コンタクトブロック４の基部７やスライダ５の段部５ｄ，７ｄ間の距離は、メモリカードＭＣの段部１０３よりも下側での左右（短手方向）の寸法よりも僅かに大きく、かつメモリカードＭＣの段部１０３よりも上側での左右の寸法よりも小さくなっている。これにより、メモリカードＭＣを正規の向きに対して裏返し（つまり上下逆向き）にしてカード挿入口３ａに挿入しようとした場合、コンタクトブロック４の基部７の段部７ｄやスライダ５の段部５ｄがそれぞれメモリカードＭＣの前端部に当接することにより、メモリカードＭＣの挿入は阻止される。
【００３１】
また、ベースシェル１において、右端の退避穴１１の前端部の左右両側には、それぞれ厚さ方向を左右方向として保護凸部１１ａが上方への切り起こしにより突設されている。各保護凸部１１ａの前端は、それぞれ上記退避穴１１に対応する右端のコンタクト１０の前端よりも前側に位置する。各保護凸部１１ａは、それぞれ、メモリカードＭＣが正規の向きで挿入された場合にはメモリカードＭＣにおいて右端の接続凹部に導入される寸法及び配置となっている。すなわち、メモリカードＭＣが前後方向（長手方向）に関して逆向きで、つまり傾斜部１０２や入出力端子が設けられた側を前向きとして挿入された場合、メモリカードＭＣの後端部（正規の挿入方向での前端部）が各保護凸部１１ａの前端に当接することにより、コンタクト１０に接触する位置までのメモリカードＭＣの挿入は阻止される。これにより、メモリカードＭＣの誤った向きでの挿入によるコンタクト１０の破損は防止される。
【００３２】
しかし、上記の構成では、正規のメモリカードＭＣの誤った向きでの挿入によるコンタクト１０の破損は防止できるものの、正規のメモリカードＭＣとは異なるがカード挿入口３ａに挿入可能な（つまり長手方向から見た寸法形状が正規のメモリカードＭＣよりも小さい）誤ったメモリカード（例えば、ＭＥＭＯＲＹ  ＳＴＩＣＫ（登録商標））の挿入によるコンタクト１０の破損を防止することができない。
【００３３】
そこで、正規のメモリカードＭＣよりも小さい誤ったメモリカードが挿入された場合にはストッパをメモリカードの軌道に留まらせてメモリカードの挿入を阻止するとともに、正規のメモリカードＭＣが挿入された場合にはストッパをメモリカードＭＣの軌道から退避させてメモリカードＭＣの挿入を可能とするという誤挿入防止の機構を備えたメモリカードソケットが提案されている（例えば、特許文献１参照）。
【特許文献１】特開２００４−６２５００号公報
【発明の開示】
【発明が解決しようとする課題】
【００３４】
しかし、上記特許文献１のような機構を設けると、挿入されたメモリカードの寸法に応じてストッパを動作させる構造が必要であって構造が複雑化し、製造コストが増大してしまうという問題がある。
【００３５】
本発明は、上記事由に鑑みて為されたものであり、その目的は、誤ったメモリカードの挿入によるコンタクトの破損を防止しながらも製造コストの増大を抑えることができるメモリカードソケットを提供することにある。
【課題を解決するための手段】
【００３６】
請求項１の発明は、厚さ方向から見て長方形状であって長手方向の一端部においてそれぞれ厚さ方向の一方側と長手方向の一方側とに開放された少なくとも１個の接続凹部が設けられ各接続凹部の内底面にそれぞれ少なくとも１個ずつの入出力端子が露出したメモリカードが着脱自在に接続されるメモリカード用ソケットであって、メモリカードが接続凹部側を後側として長手方向に挿入されるカード挿入口が前面に開口したソケット本体と、カード挿入口に挿入されるメモリカードの厚さ方向と前後方向とに交差する方向に並びそれぞれ後端部がソケット本体に保持されカード挿入口に挿入されたメモリカードの入出力端子に接触導通する複数個のコンタクトとを備え、各コンタクトの前端部には、それぞれ、カード挿入口に挿入されるメモリカードの厚さ方向の面であってカード挿入口の内側向きの面が凸曲面であってカード挿入口の内側へ弾性的に突出して前記凸曲面においてメモリカードの入出力端子に弾接する接触部が設けられていて、カード挿入口の内面であってメモリカードの厚さ方向の一面に対向する面のうち各コンタクトの接触部がそれぞれ突出する面において、少なくとも２個のコンタクトの接触部の近傍には、それぞれ、近傍のコンタクトの前端よりもカード挿入口の内側への突出寸法が大きい部位を前記近傍のコンタクトの前端よりも前側に有し、カード挿入口の内側への突出寸法は近傍のコンタクトの接触部よりも小さく、正規のメモリカードが正規の向きでカード挿入口に挿入された場合にはメモリカードの接続凹部内に導入される保護凸部が設けられていることを特徴とする。
【００３７】
この発明によれば、正規のメモリカードよりも寸法形状の小さい誤ったメモリカードがカード挿入口に挿入された場合であっても、メモリカードは保護凸部の上側に乗り上げ、コンタクトの前端には当接しない。従って、コンタクトが誤ったメモリカードによって前端を後方へ押圧されたり下方へ過剰に押し込まれたりして過剰に変形し破損するようなことが防止される。また、挿入されたメモリカードの寸法に応じてメモリカードの阻止とメモリカードの軌道からの退避とを切り替えるストッパを設ける場合に比べ、構造が単純化されるから製造コストの増大が抑えられる。
【００３８】
請求項２の発明は、請求項１の発明において、各保護凸部の前面は、それぞれ、保護凸部の突出方向へ向かって後方へ傾斜していることを特徴とする。
【００３９】
この発明によれば、誤ったメモリカードが挿入された場合には、メモリカードは保護凸部の前面の傾斜に沿って保護凸部の上側に乗り上げることになるから、上記の傾斜を設けずに保護凸部を矩形状とする場合に比べ、誤ったメモリカードによる保護凸部の破損が発生しにくい。
【００４０】
請求項３の発明は、請求項１又は請求項２の発明において、ソケット本体は、金属板からなりカード挿入口において保護凸部が突設された面を構成するベースシェルを有し、各保護凸部は、それぞれ、ベースシェルの一部を切り起こすことによって形成されていることを特徴とする。
【００４１】
この発明によれば、各保護凸部をそれぞれ合成樹脂で構成する場合に比べ、保護凸部の破損が発生しにくい。
【００４２】
請求項４の発明は、請求項３の発明において、各保護凸部は、それぞれ、カード挿入口にメモリカードが挿入される方向に対して厚さ方向を直交させる向きで切り起こされていることを特徴とする。
【００４３】
この発明によれば、各保護凸部の厚さ方向をそれぞれ前後方向とする場合に比べて各保護凸部の塑性変形が生じにくい。
【００４４】
請求項５の発明は、請求項４の発明において、少なくとも１個のコンタクトについて、それぞれ、該コンタクトを挟んで対向する２個ずつの保護凸部が設けられていることを特徴とする。
【発明の効果】
【００４５】
請求項１の発明によれば、カード挿入口の内面であってメモリカードの厚さ方向の一面に対向する面のうち各コンタクトの接触部がそれぞれ突出する面において、少なくとも２個のコンタクトの接触部の近傍には、それぞれ、近傍のコンタクトの前端よりもカード挿入口の内側への突出寸法が大きい部位を前記近傍のコンタクトの前端よりも前側に有し、カード挿入口の内側への突出寸法は近傍のコンタクトの接触部よりも小さく、正規のメモリカードが正規の向きでカード挿入口に挿入された場合にはメモリカードの接続凹部内に導入される保護凸部が設けられているので、正規のメモリカードよりも寸法形状の小さい誤ったメモリカードがカード挿入口に挿入された場合であっても、メモリカードは保護凸部の上側に乗り上げ、コンタクトの前端には当接しない。従って、コンタクトが誤ったメモリカードによって前端を後方へ押圧されたり下方へ過剰に押し込まれたりして過剰に変形し破損するようなことが防止される。また、挿入されたメモリカードの寸法に応じてメモリカードの阻止とメモリカードの軌道からの退避とを切り替えるストッパを設ける場合に比べ、構造が単純化されるから製造コストの増大が抑えられる。
【００４６】
請求項２の発明によれば、各保護凸部の前面が、それぞれ、保護凸部の突出方向へ向かって後方へ傾斜しているので、誤ったメモリカードが挿入された場合には、メモリカードは保護凸部の前面の傾斜に沿って保護凸部の上側に乗り上げることになるから、上記の傾斜を設けずに保護凸部を矩形状とする場合に比べ、誤ったメモリカードによる保護凸部の破損が発生しにくい。
【００４７】
請求項３の発明によれば、ソケット本体は、金属板からなりカード挿入口において保護凸部が突設された面を構成するベースシェルを有し、各保護凸部は、それぞれ、ベースシェルの一部を切り起こすことによって形成されているので、各保護凸部をそれぞれ合成樹脂で構成する場合に比べ、保護凸部の破損が発生しにくい。
【００４８】
請求項４の発明によれば、各保護凸部は、それぞれ、カード挿入口にメモリカードが挿入される方向に対して厚さ方向を直交させる向きで切り起こされているので、各保護凸部の厚さ方向をそれぞれ前後方向とする場合に比べて各保護凸部の塑性変形が生じにくい。
【発明を実施するための最良の形態】
【００４９】
以下、本発明を実施するための最良の形態について、図面を参照しながら説明する。
【００５０】
本実施形態の基本構成は図４〜図１６に示したメモリカード用ソケット（以下、「従来例」と呼ぶ。）と共通であるので、共通する部分については同じ符号を付して図示並びに説明を省略し、異なる部分についてのみ説明する。
【００５１】
従来例のメモリカード用ソケットがスタンドオフ型であったのに対し、本実施形態は、ソケット本体３がより実装面の近くに位置する表面実装型となっており、各コンタクト１０、固定接点板３０、各可動接点板３１Ａ，３１Ｂの各端子部１０ａ，３０ａ，３１ｄの、ソケット本体３の上方への突出寸法は、従来例よりも小さくなっている。また、図２（ａ）（ｂ）に示すように、ベースシェル１には載置用凸部６ｃに代えて、左側の側片６ｂのうち前側（図２（ａ）での下側）の１個の後端部と、右側の側片６ａの前端部とには、それぞれ、左右方向の外向きに突設されて厚さ方向を上下方向に向けた固定片６ｄが設けられている。各固定片６ｄにはそれぞれ左右方向の外側と上下両側とにそれぞれ開放された半円形状の切欠６ｅが設けられており、この切欠６ｅに挿通されたねじによって本実施形態は実装面にねじ止め可能となっている。固定片６ｄは、従来例の載置用凸部６ｃと同様に、ベースシェル１をグランドに電気的に接続する端子として用いることもできる。
【００５２】
さらに、保護凸部１１ａは、右端のコンタクト１０以外のコンタクト１０に対しても設けられている。具体的には、右から４番目，７番目及び８番目のコンタクト１０に対応する各退避穴１１のそれぞれ右側と、右から５番目のコンタクト１０に対応する退避穴１１の左側とに、それぞれ保護凸部１１ａが設けられている。各保護凸部１１ａは、それぞれ、右端のコンタクト１０に対して設けられた保護凸部１１ａと同様の構成となっている。すなわち、各保護凸部１１ａは、それぞれ、加工前には退避穴１１の内側に存在した部位を厚さ方向を左右方向とするように切り起こすことによって形成されている。また、カード挿入口３ａの上向きの内面から上方への各保護凸部１１ａ突出寸法は近傍のコンタクト１０の接触部１０ｃよりも小さく、正規のメモリカードＭＣが正規の向きでカード挿入口３ａに挿入された場合には、各保護凸部１１ａは、それぞれメモリカードＭＣの接続凹部内に導入され、メモリカードＭＣの挿入の障害や、コンタクト１０の入出力端子への接触の障害となることはない。
【００５３】
図１に示すように、各保護凸部１１ａは、それぞれ、該保護凸部１１ａが臨む退避穴１１に対応する（すなわち近傍に位置する）コンタクト１０の前端（図１での左端）よりも前側において、該コンタクト１０の前端よりも上側に位置する部位を有する。
【００５４】
また、各保護凸部１１ａの前面は、それぞれ突出方向である上方へ向かって後方（図１での右方）へ傾斜している。
【００５５】
上記構成によれば、図１のように正規のメモリカードＭＣよりも寸法形状の小さい誤ったメモリカードＭＣ’がカード挿入口３ａに挿入された場合であっても、誤ったメモリカードＭＣ’は保護凸部１１ａの上側に乗り上げることになり、コンタクト１０の前端を後方へ押圧することや、コンタクト１０の接触部１０ｃを下方へ過剰に押し込むことがない。すなわち、コンタクト１０が誤ったメモリカードＭＣ’によって過剰に変形し破損するようなことが防止される。また、特許文献１のメモリカードソケットのように、挿入されたメモリカードの寸法に応じてメモリカードＭＣ’の阻止とメモリカードＭＣの軌道からの退避とを切り替えるストッパを設ける場合に比べ、構造が単純化されるから製造コストの増大が抑えられる。
【００５６】
また、各保護凸部１１ａが金属製のベースシェル１の切り起こしによって形成されていることにより、各保護凸部１１ａをそれぞれ合成樹脂で構成する場合に比べ、保護凸部１１ａの破損が発生しにくくなっている。
【００５７】
さらに、各保護凸部１１ａの厚さ方向が、それぞれ、カード挿入口３ａへのメモリカードＭＣの挿入方向（前後方向）に直交する方向である左右方向とされていることにより、図３に示すように各保護凸部１１ａの厚さ方向をそれぞれ前後方向とする場合（つまり保護凸部１１ａを退避穴１１の前端から曲げ起こす場合）に比べて各保護凸部１１ａの塑性変形（ヘタリ）が生じにくくなっている。
【００５８】
また、各保護凸部１１ａの前面がそれぞれ傾斜していることにより、誤ったメモリカードＭＣ’が挿入された場合には、メモリカードＭＣ’は上記の傾斜に沿って保護凸部１１ａの上側に乗り上げることになるから、上記の傾斜を設けずに保護凸部１１ａを矩形状とする場合に比べ、誤ったメモリカードＭＣ’による保護凸部１１ａの破損がさらに発生しにくくなっている。
【００５９】
なお、本実施形態では、保護凸部１１ａが、右から４番目，７番目及び８番目のコンタクト１０に対応する各退避穴１１のそれぞれ右側と、右から５番目のコンタクト１０に対応する退避穴１１の左側と、右端のコンタクト１０に対応する退避穴１１の左右両側との、合計６個設けられているが、保護凸部１１ａの個数及び配置は上記に限られない。ただし、想定される誤ったメモリカードＭＣ’が、斜め向きに（つまり長手方向を前後方向に対して傾斜させて）挿入された場合を含めて、想定されるどのような形で挿入された場合でも、コンタクト１０の前端へのメモリカードＭＣ’の到達を阻止できるような個数及び配置とすることが望ましい。
【図面の簡単な説明】
【００６０】
【図１】本発明の実施形態の要部を示す断面図である。
【図２】（ａ）（ｂ）はそれぞれ同上のベースシェルを示す図であり、（ａ）は平面図、（ｂ）は背面図である。
【図３】同上の比較例の要部を示す斜視図である。
【図４】メモリカード用ソケットの一例を示す斜視図である。
【図５】（ａ）〜（ｅ）はそれぞれ同上にメモリカードが接続された状態を示す図であり、（ａ）は平面図、（ｂ）は右側面図、（ｃ）は左側面図、（ｄ）は背面図、（ｅ）は正面図である。
【図６】同上にメモリカードが接続された状態を示す下面図である。
【図７】（ａ）（ｂ）はそれぞれ同上を示す斜視図であり、（ａ）（ｂ）はそれぞれ異なる方向から見た状態を示す。
【図８】同上を示す分解斜視図である。
【図９】（ａ）〜（ｃ）はそれぞれ同上のコンタクトブロックを示す図であり、（ａ）は斜視図、（ｂ）は（ａ）とは異なる方向から見た斜視図、（ｃ）は背面図である。
【図１０】同上の要部を示す斜視図である。
【図１１】（ａ）〜（ｃ）はそれぞれ同上の共通接点板を示す図であり、（ａ）は右側面図、（ｂ）は平面図、（ｃ）は左側面図である。
【図１２】（ａ）〜（ｃ）はそれぞれ同上の第１の可動接点板を示す図であり、（ａ）は右側面図、（ｂ）は平面図、（ｃ）は左側面図である。
【図１３】（ａ）（ｂ）はそれぞれ同上のベースシェルを示す図であり、（ａ）は平面図、（ｂ）は斜視図である。
【図１４】（ａ）（ｂ）はそれぞれ同上のカバーシェルを示す斜視図であり、（ａ）（ｂ）はそれぞれ異なる方向から見た状態を示す。
【図１５】（ａ）〜（ｃ）はそれぞれ同上のスライダを示す図であり、（ａ）は平面図、（ｂ）は左側面図、（ｃ）は下面図、（ｄ）は斜視図である。
【図１６】同上においてカバーシェルが取り外された状態を示す平面図である。
【符号の説明】
【００６１】
１  ベースシェル
３  ソケット本体
３ａ  カード挿入口
１０  コンタクト
１０ｃ  接触部
１１ａ  保護凸部
ＭＣ  （正規の）メモリカード
ＭＣ’  （誤った）メモリカード
【図１】
2009123394.tif 000003
【図２】
2009123394.tif 000004
【図３】
2009123394.tif 000005
【図４】
2009123394.tif 000006
【図５】
2009123394.tif 000007
【図６】
2009123394.tif 000008
【図７】
2009123394.tif 000009
【図８】
2009123394.tif 000010
【図９】
2009123394.tif 000011
【図１０】
2009123394.tif 000012
【図１１】
2009123394.tif 000013
【図１２】
2009123394.tif 000014
【図１３】
2009123394.tif 000015
【図１４】
2009123394.tif 000016
【図１５】
2009123394.tif 000017
【図１６】
2009123394.tif 000018